(57)【特許請求の範囲】
【請求項１】
炉箱の底面及び内側面の略全面に加熱部を設けると共に、炉箱の上方に配置される座卓の天板部下面の略全面に加熱部を設け、座卓の天板部は、外周枠の内側に複数の桟木が縦横格子状に取付けられ、該桟木の天板部四隅に位置する部分の下面に平面視Ｌ形のコーナ部材を取り付けると共に、加熱部の四隅に切欠部を設け、該加熱部をコーナ部材を介して桟木に取付けることで加熱部と桟木との間に隙間を形成し、炉箱側の加熱部の加熱能力を座卓側の加熱部の加熱能力よりも高く設定し、座卓側の加熱部のスイッチ部をスイッチ部保持部材を介して天板部に保持すると共に、スイッチ部の電源プラグ受けをスイッチ部保持部材とは別部材のプラグ受け保持部材を介して天板部に保持し、プラグ受け保持部材の厚みをスイッチ部保持部材よりも厚肉に形成したことを特徴とする掘コタツ。
【請求項２】
スイッチ部保持部材とプラグ受け保持部材とを折り曲げ自在に連結したことを特徴とする請求項１記載の堀コタツ。
【請求項３】
スイッチ部保持部材の前部側に電源スイッチ、操作つまみ等を備えた操作パネルを取付け、該スイッチ部保持部材の後部側に天板部の桟木に固定される固定片を設け、該固定片と桟木との間に隙間をあけた状態で固定片を桟木に固定可能としたことを特徴とする請求項１記載の堀コタツ。
【請求項４】
天板部の桟木に電源プラグ受けの端子が挿通する挿通部を形成し、該挿通部の電源プラグ受けとは反対側の面にプラグ挿入孔を有するカバー部材を設け、このカバー部材に補強部を兼ねると共に天板部の桟木に押圧保持される押さえ部を一体形成したことを特徴とする請求項１記載の堀コタツ。
【発明の詳細な説明】
【０００１】
【発明の属する技術分野】
この発明は、堀コタツに関するものである。
【０００２】
【従来の技術】
一般に、堀コタツの炉箱内にヒータを設け、炉箱の上方に配置される座卓に掛け蒲団等を被せ、座卓と炉箱との隙間からの外気の流入を防ぐことで、炉箱内の温度を均一に保つようにしている。
【０００３】
【発明が解決しようとする課題】
本発明は、上記点に鑑みてなされたもので、掛け蒲団を用いなくても、炉箱内の温度の均一化を容易に図ることができることを課題とし、また座卓側の加熱部の小型且つ薄型化を図ることを課題とし、さらに加熱部の取付けの信頼性及び安全性を高めることを課題とする。
【０００４】
【課題を解決するための手段】
上記課題を解決するために、本発明の請求項１記載の発明は、炉箱２の底面及び内側面の略全面に加熱部４を設けると共に、炉箱２の上方に配置される座卓３の天板部２８下面の略全面に加熱部５を設け、座卓の天板部２８は、外周枠２６の内側に複数の桟木２７が縦横格子状に取付けられ、該桟木２７の天板部２８四隅に位置する部分の下面に平面視Ｌ形のコーナ部材３１を取り付けると共に、加熱部５の四隅に切欠部３０を設け、該加熱部５をコーナ部材３１を介して桟木２７に取付けることで加熱部５と桟木２７との間に隙間を形成し、炉箱２側の加熱部４の加熱能力を座卓３側の加熱部５の加熱能力よりも高く設定し、座卓３側の加熱部５のスイッチ部３５をスイッチ部保持部材３６を介して天板部２８に保持すると共に、スイッチ部３５の電源プラグ受け５７をスイッチ部保持部材３６とは別部材のプラグ受け保持部材５１を介して天板部２８に保持し、プラグ受け保持部材５１の厚みをスイッチ部保持部材３６よりも厚肉に形成したことを特徴としており、このように構成することで、炉箱２側の加熱部４と座卓３側の加熱部５とによって上下から加熱でき、掛け蒲団等を用いなくても、炉箱２内の温度の均一化を容易に図ることができると共に、座卓３側の加熱部５は補助的な役割を持つので、座卓３側のヒータ７の小型且つ省電力化を図ることができる。さらに、プラグの抜き差しの際にかかる荷重によりプラグ受け保持部材５１が変形するのをプラグ受け保持部材５１の厚肉化によって防止できる。また加熱部５の四隅に設けた切欠部３０によって天板部２８と脚部２９との取付け部との干渉を避けることができる。また加熱部５をコーナ部材３１を介して桟木２７に取付けることにより、コーナ部材３１によって加熱部５と天板部２８下面との間に隙間を確保したので、加熱部５と天板部２８との接触を防止できると共に、コーナー部材３１が加熱部５の外周部を保護する保護部となるので、加熱部５を十分に保護できると共に、加熱部５の端部で手とか足を怪我する心配もなくなり、使用の安全性が向上する。
【０００５】
また請求項２記載の発明は、請求項１記載のスイッチ部保持部材３６とプラグ受け保持部材５１とを折り曲げ自在に連結したことを特徴としており、このように構成することで、部品の運搬時、梱包時にはスイッチ部保持部材３６とプラグ受け保持部材５１とを折り曲げることでコンパクトにできると共に、天板部２８の桟木２７に固定する際には両者を広げることで角度調整ができる。
【０００６】
また請求項３記載の発明は、請求項１記載のスイッチ部保持部材３６の前部側に電源スイッチ、操作つまみ等を備えた操作パネル１００を取付け、該スイッチ部保持部材３６の後部側に天板部２８の桟木２７に固定される固定片５０を設け、該固定片５０と桟木２７との間に隙間をあけた状態で固定片５０を桟木２７に固定可能としたことを特徴としており、このように構成することで、操作パネル１００を天板部２８の所定位置に位置決めした状態で、スイッチ部保持部材３６の固定片５０を桟木２７に固定する場合において、例えば桟木２７の厚みのバラツキ等に起因して、スイッチ部保持部材３６に歪みが生じ、これに伴い操作パネル１００が位置ずれする場合があるが、スイッチ部保持部材３６の固定片５０と桟木２７との間に所定の隙間Ｇをあけた状態で、該固定片５０を桟木２７に固定可能としたことによって、桟木２７の厚みのバラツキ等を該隙間Ｇにて吸収でき、操作パネル１００を正確な位置に位置決め可能となる。
【０００７】
また請求項４記載の発明は、請求項１記載の天板部２８の桟木２７に電源プラグ受け５７の端子５８が挿通する挿通部５６を形成し、該挿通部５６の電源プラグ受け５７とは反対側の面にプラグ挿入孔６１を有するカバー部材６０を設け、このカバー部材６０に補強部を兼ねると共に天板部２８の桟木２７に押圧保持される押さえ部６５を一体形成したことを特徴としており、このように構成することで、カバー部材６０は目隠し機能に加えて、プラグの抜き差し時などにプラグ受け保持部材５１に荷重がかかった場合でも補強部を兼ねる押さえ部６５によってプラグ受け保持部材５１の変形を防止でき、しかも押さえ部６５を天板部２８の桟木２７に押さえ付けることでプラグ受け保持部材５１をより確実に取付けることが可能となる。
【０００８】
【発明の実施の形態】
以下、本発明の実施形態の一例を説明する。
【０００９】
堀コタツ１は、図１に示すように、炉箱２と、炉箱２の上方に配置される座卓３と、炉箱２及び座卓３に配設される加熱部４，５とで構成される。
【００１０】
ここで、炉箱２は、四方の内側面と底面とで囲まれ、上方に開口した床下空間を有しており、炉箱２の底面及び内側面の略全面に亘って加熱部４が設けられている。この加熱部４は面状ヒータであって、図２に示すように、耐熱絶縁層で被覆されたヒータ線と均熱アルミシートとが面状に一体形成されており、炉箱２の底面部に敷設される矩形状のヒータ底面部６ａを有し、さらにヒータ底面部６ａの外周辺には折り曲げ線９を介して炉箱２の四方の内側面に内張りされる４枚のヒータ側面部６ｂが一体形成されており、折り曲げ線９に沿ってヒータ側面部６ｂが折り曲げ自在となっている。この加熱部４の暖房能力は、後述する座卓３側の加熱部５のヒータ７の暖房能力よりも高く設定されている。尚、加熱部４の端部は、端子ケース１０を介して電源コード１１、及びコントローラ１２を接続するコントローラコード１３に接続されている。そして、炉箱２の底面部の上にヒータ底面部６ａとカーペットカバー１１０（図１）とを順に敷設すると共に、ヒータ側面部６ｂの裏面にはマジックテープ１４（図２）が取着されており、一方、炉箱２の内側面にはマジックテープ１４が着脱自在に取付けられる起毛部（図示せず）が設けられており、これにより、ヒータ側面部６ｂを炉箱２の内側面に簡単に保持できるようになっている。尚図１中の１５はエアーキャップ巻き部である。
【００１１】
さらに炉箱２の内側面の一部には、図３に示すように、パネルカバー１６で覆われた電源部が設けられ、この電源部に耐熱性のあるコンセント１８及びプラグ１９を介して前記炉箱２側の加熱部４の電源コード１１が接続されていると共に、後述する座卓３側の加熱部５の電源コード２０が接続されている。図３中の２１は外框、２２は床、２３は根太、２４は大引、２５は補強桟である。
【００１２】
一方、炉箱２の上方に配置される座卓３は、図４に示すように、外周枠２６の内側に複数の桟木２７が縦横格子状に取付けられ、その上面にテーブル面となるラワン合板５００が載置される天板部２８と、天板部２８の下面四隅に突設される脚部２９と、天板部２８下面の略全面に亘って設けられる加熱部５とで構成される。この加熱部５は面状ヒータであって、図５〜図７に示すように、下面から上面に向けて表面均熱板９２、ヒータ７、アルミシート９０、断熱材９１の順に積層して一体化されている。
【００１３】
ヒータ７は、耐熱絶縁層で被覆されたヒータ線とアルミ箔とが熱プレスにて面状に一体形成されており、このヒータ７の暖房能力は、前記炉箱２側の加熱部４の暖房能力よりも低く設定されており、補助的なものにすぎないものである。このヒータ７の下面には表面均熱板９２が接着剤等で接着されている。この表面均熱板９２は、例えば亜鉛メッキ鋼板から成り、その表面は肌触りを良くする植毛面が形成されている。一方、ヒータ７の上面には、植毛面は形成されず、この面上には温度過昇防止用のサーモスタット２００、及びヒータ７と天板部２８の桟木２７との間の距離を確保してヒータ７を保護するためのスペーサ２０１が夫々配置される。さらにヒータ７の上面にはアルミシート９０が覆設されると共に、このアルミシート９０の上面には両面テープ３００を介して断熱材９１が接着されている。断熱材９１は、クッション性を有する断熱素材、例えばポリエステルフェルトが用いられ、加熱部５を天板部２８に取付けた状態で、図４（ｃ）に示すように、断熱材９１の一部が桟木２７とヒータ７との間で圧迫され、この圧迫部分が桟木２７とヒータ７との間のスペーサを兼ねる構造となっている。
【００１４】
しかして、炉箱２の底面及び内側面の略全面に加熱部４を設けると共に、座卓３の天板部２８下面にも加熱部５を設けたことによって、両加熱部４，５によって上下から加熱でき、掛け蒲団等を用いなくても、炉箱２内の温度の均一化を容易に図ることができる。また、座卓３側の加熱部５は補助的なものにすぎないために、加熱部７の小型且つ省電力化を図ることができ、従って、天板部２８下面からの加熱部５の突出寸法を小さくでき、デザイン性が良くなると共に、手とか足が座卓３側の加熱部５に当たり難く、使い勝手も良好となる。さらに加熱部５は、下面から上面に向けて表面均熱板９２、ヒータ７、アルミシート９０、断熱材９１の順に積層して一体化して成るから、断熱材９１によって天板部２８側に熱が逃げるのを防止できる一方で、表面均熱板９２によってヒータ７の熱を効率良く炉箱２内に放散させることができ、熱効率を向上させることができるという利点もある。
【００１５】
次に、上記座卓３側の加熱部５を天板部２８下面に取付ける場合の実施形態の一例を図８〜図１０に示す。座卓３側の加熱部５は天板部２８下面の略全面を覆う大きさを有すると共に、加熱部５の四隅には天板部２８と脚部２９との取付け部との干渉を避けるための切欠部３０（図７）が設けられている。一方、天板部２８の四隅に夫々位置する桟木２７のＬ形部分２７ａ，２７ｂの下面に沿ってコーナ部材３１が夫々配設される。このコーナ部材３１は、例えば図１０に示すように、断面Ｌ形の一対の帯状プレート３１ａから成り、この帯状プレート３１ａの突き合わせ端面３１ｂには略４５°の角度θが付けられており、一対の帯状プレート３１ａを突き合わせることで平面視Ｌ形のコーナ部材３１が構成されるものであり、このコーナ部材３１を図８に示すように、天板部２８の桟木２７のＬ形部分２７ａ，２７ｂの下面に沿わせるようにして当接し、さらにこの状態で図９に示すように、コーナ部材３１の水平部３１ｃの下面に加熱部５の外周端部を当接させ、取付けビス６００にて加熱部５をコーナ部材３１を介して桟木２７に取付けることによって、水平部３１ｃの厚み分だけ加熱部５が桟木２７の下面から浮いた状態となり、これに伴い加熱部５全体が天板部２８の桟木２７の下面に接触しないように保持され、コーナ部材３１によって加熱部５と桟木２７との隙間が確保されている。さらに、コーナ部材３１の垂直部３１ｄは加熱部５の外周端部よりも下方に突出しており、この垂直部３１ｄが加熱部５の外周端部を保護する保護部を兼ねている。
【００１６】
さらに、加熱部５は切欠部３０以外の外周部分においても天板部２８下面に取付けられており、本実施形態では、図８（ａ）に示すように、天板部２８の外周枠２６の辺中央部の内側に取付片３２を沿設し、この取付片３２の下面に加熱部５の外周端部を取付けビスにて取付け可能となっている。この場合、取付片３２の下面と加熱部５との間に例えば所定厚みのスペーサ（図示せず）を介在させて、前記コーナ部材３１の水平部３１ｃの下面と略同じ高さ位置になるように調整することが可能である。
【００１７】
しかして、コーナ部材３１によって加熱部５と天板部２８下面との間に所定の隙間を確保でき、加熱部５と天板部２８との接触を防止できると共に、コーナ部材３１の垂直部３１ｄが加熱部５の外周部を保護する保護部となるので、加熱部５を十分に保護できると共に、加熱部５の端部で手とか足を怪我する心配もなくなり、使用の安全性が向上する。
【００１８】
次に、前記座卓３側の加熱部５のスイッチ部３５を天板部２８下面に取付ける場合の実施形態の一例を図１１〜図１５に示す。座卓３側の加熱部５のスイッチ部３５を保持するスイッチ部保持部材３６が天板部２８の桟木２７下面に固定されている。図１４及び図１５中、３７はヒータ７との接続コネクタ、３８は温度ヒューズ、３９は発熱抵抗部、４０は温度調節用サーモスタット、４１は絶縁シートである。このスイッチ部保持部材３６は、例えば亜鉛メッキ鋼板より成る略平板状に形成され、図１１に示すように、天板部２８の１つのコーナ部における隣合う平行な２本の桟木２７の下面間に掛け渡されている。このスイッチ部保持部材３６の両端部には、桟木２７下面に固定ビスにて夫々固定可能な左右の固定片５０が一体形成されている。本実施形態では、左側の固定片５０が右側の固定片５０よりも前方Ｆにずれた位置に形成され、後述するプラグ受け保持部材５１をスイッチ部保持部材３６の後部側の左側コーナ部に連結可能なスペースが確保されている。これにより、後述のようにスイッチ部保持部材３６とプラグ受け保持部材５１とをリベット５４で回動自在に連結する際に固定片５０が邪魔にならなくなり、連結作業の容易化を図ることができる。
【００１９】
このスイッチ部保持部材３６の前部側には、例えば樹脂成形品より成る操作パネル１００が一体に設けられている。操作パネル１００には、図１４（ｂ）に示すように電源スイッチ１０１、温度調整用の操作つまみ１０２、電源ランプを覆うアクリル製導光板１０３などが設けられる。この操作パネル１００は天板部２８の外周枠２６の側面に開口した開口部に嵌め込まれており、取付けビスにて固定されている。つまり、操作パネル１００は天板部２８の外周枠２６に取付けられ、一方、操作パネル１００と一体のスイッチ部保持部材３６は天板部２８の桟木２７に取付けられるものである。ここで、操作パネル１００を天板部２８の外周枠６の取付け孔に位置決めした状態で、スイッチ部保持部材３６の固定片５０を桟木２７に固定する場合において、例えば桟木２７の厚みのバラツキ等に起因して、スイッチ部保持部材３６に歪みが生じ、これに伴い操作パネル１００が位置ずれする場合があるが、本実施形態では図１４（ｃ）のようにスイッチ部保持部材３６の固定片５０と桟木２７との間に所定の隙間Ｇをあけた状態で、該固定片５０を桟木２７に固定ビス４００にて固定可能としたことによって、桟木２７の厚みのバラツキ等を該隙間Ｇにて吸収でき、操作パネル１００を正確な位置に位置決め可能となり、操作パネル１００を外観良く取付けることができる。
【００２０】
さらに、スイッチ部保持部材３６の後部側には、スイッチ部３５の電源プラグ受け５７を保持するプラグ受け保持部材５１が配置される。このプラグ受け保持部材５１は、スイッチ部保持部材３６よりも厚肉に形成されている。このようにプラグ受け保持部材５１の厚みをスイッチ部保持部材３６よりも厚肉に形成することで、プラグの抜き差しの際にかかる荷重によりプラグ受け保持部材５１が変形するのをプラグ受け保持部材５１の厚肉化によって防止できるものである。また本実施形態では、プラグ受け保持部材５１の前端部が前記スイッチ部保持部材３６の後部側の左側コーナ部に重合された状態で、リベット５４にて両者３６，５１が水平方向に回動自在に連結されており、またプラグ受け保持部材５１の左側の側端部及び後端部には桟木２７下面に固定可能な固定片５２，５３が夫々設けられている。このプラグ受け保持部材５１の側端部の固定片５２は、前記スイッチ部保持部材３６の左側の固定片５０が固定される桟木２７下面に該固定片５０よりも後方位置において固定ビスにて固定されている。
【００２１】
ここで、スイッチ部保持部材３６とプラグ受け保持部材５１とをリベット５４にて回動自在に連結したことで、スイッチ部保持部材３６とプラグ受け保持部材５１とが折り曲げ自在となり、従って、部品の運搬時、梱包時には折り曲げることでコンパクトにできると共に、天板部２８の桟木２７に固定する際には広げることで角度調整ができるので、仮りに非直角な桟木２７にも容易に対応できるという利点がある。
【００２２】
さらに、プラグ受け保持部材５１の側端部の固定片５２が固定される桟木２７には、図１１に示すように、挿通部５６が切欠形成されており、この挿通部５６にプラグ受け保持部材５１にて保持された電源プラグ受け５７の端子５８が挿通するようになっている。この挿通部５６の幅Ｗは端子５８が余裕を持って挿通できるように若干大きめに設定されている。また、挿通部５６の電源プラグ受け５７とは反対側の面には目隠し用のカバー部材６０が配置されている。このカバー部材６０は、図１３に示すように、プラグ挿入孔６１及び取付け孔６２が穿孔された薄板から成り、プラグをプラグ挿入孔６１を介して電源プラグ受け５７の端子５８に接続できるようにしてある。この場合、プラグ挿入孔６１の大きさをプラグの大きさと略一致させてプラグとのクリアランスを少なくすることで、安全性を確保できるものである。またカバー部材６０の背面下部には、カバー部材６０の補強部を兼ねると共に天板部２８の桟木２７に押圧保持される押さえ部６５が水平方向に突設されている。
【００２３】
ここで、カバー部材６０を桟木２７に取付けるにあたっては、図１２に示すように、カバー部材６０の押さえ部６５を桟木２７の下面に当接させた状態で、カバー部材６０を桟木２７の前面に取付けビスにて取付けると共に、該押さえ部６５の下面側に前述したコーナ部材３１を配置し、更にコーナ部材３１の下面に座卓３側の加熱部５を配置し、カバー部材６０を桟木２７とコーナ部材３１とでサンドイッチした状態で取付けビスを加熱部５、コーナ部材３１、押さえ部６５の順に貫通させて桟木２７にねじ込むことによって、押さえ部６５が桟木２７下面に押さえられ、カバー部材６０が桟木２７に対してより強固に固定できるようになっている。尚図１２中の７１はコード保持具である。
【００２４】
このようにカバー部材６０は目隠し機能に加えて、押さえ部６５によって薄板状のカバー部材６０が補強されるので、プラグの抜き差し時などにプラグ受け保持部材５１に荷重がかかった場合でも補強部を兼ねる押さえ部６５によってプラグ受け保持部材５１の変形を防止できものであり、さらに押さえ部６５を桟木２７下面に押さえ付けることで、カバー部材６０が桟木２７に対してより強固に固定され、プラグ受け保持部材５１の取付け強度をさらに高めることができるものである。
【００２５】
【発明の効果】
以上説明したように、本発明のうち請求項１記載の発明は、炉箱の底面及び内側面の略全面に加熱部を設けると共に、炉箱の上方に配置される座卓の天板部下面の略全面に加熱部を設け、炉箱側の加熱部の加熱能力を座卓側の加熱部の加熱能力よりも高く設定したから、炉箱側の加熱部と座卓側の加熱部とによって上下から加熱でき、掛け蒲団等を用いなくても、炉箱内の温度の均一化を容易に図ることができると共に、座卓側の加熱部は補助的な役割を持つので、座卓側のヒータの小型且つ省電力化を図ることができ、さらに天板部下面から加熱部の突出寸法を小さく抑えることが可能であるので、デザイン性が損なわれず、足が座卓側の加熱部に当たり難く、使い勝手も良好となる。また、座卓側の加熱部のスイッチ部をスイッチ部保持部材を介して天板部に保持すると共に、スイッチ部の電源プラグ受けをスイッチ部保持部材とは別部材のプラグ受け保持部材を介して天板部に保持し、プラグ受け保持部材の厚みをスイッチ部保持部材よりも厚肉に形成したから、プラグの抜き差しの際にかかる荷重によりプラグ受け保持部材が変形するのをプラグ受け保持部材の厚肉化によって防止できる。また、加熱部の四隅に設けた切欠部によって天板部と脚部との取付け部との干渉を避けることができる。また座卓の天板部は、外周枠の内側に複数の桟木が縦横格子状に取付けられ、該桟木の天板部四隅に位置する部分の下面に平面視Ｌ形のコーナ部材を取り付けると共に、加熱部の四隅に切欠部を設け、該加熱部をコーナ部材を介して桟木に取付けることで加熱部と桟木との間に隙間を形成した。これにより、切欠部によって天板部と脚部との取付け部との干渉を避けることができ、またコーナ部材によって加熱部と天板部下面との間に所定の隙間を確保できるので、加熱部と天板部との接触を防止できると共に、コーナー部材が加熱部の外周部を保護する保護部となるので、加熱部を十分に保護できると共に、加熱部の端部で手とか足を怪我する心配もなくなり、使用の安全性が向上する。
【００２６】
また請求項２記載の発明は、請求項１記載のスイッチ部保持部材とプラグ受け保持部材とを折り曲げ自在に連結したから、請求項１記載の効果に加えて、部品の運搬時、梱包時にはスイッチ部保持部材とプラグ受け保持部材とを折り曲げることでコンパクトにできると共に、天板部の桟木に固定する際には両者を広げることで角度調整ができるので、仮りに非直角な桟木にも容易に対応できる。
【００２７】
また請求項３記載の発明は、請求項１記載のスイッチ部保持部材の前部側に電源スイッチ、操作つまみ等を備えた操作パネルを取付け、該スイッチ部保持部材の後部側に天板部の桟木に固定される固定片を設け、該固定片と桟木との間に隙間をあけた状態で固定片を桟木に固定可能としたから、請求項１記載の効果に加えて、操作パネルを天板部の所定位置に位置決めした状態で、スイッチ部保持部材の固定片を桟木に固定する場合において、例えば桟木の厚みのバラツキ等に起因して、スイッチ部保持部材に歪みが生じ、これに伴い操作パネルが位置ずれする場合があるが、スイッチ部保持部材の固定片と桟木との間に所定の隙間をあけた状態で、該固定片を桟木に固定可能としたことによって、桟木の厚みのバラツキ等を該隙間にて吸収でき、操作パネルを正確な位置に位置決め可能となり、従って、操作パネルを外観良く取付けることができるものである。
【００２８】
また請求項４記載の発明は、請求項１記載の天板部の桟木に電源プラグ受けの端子が挿通する挿通部を形成し、該挿通部の電源プラグ受けとは反対側の面にプラグ挿入孔を有するカバー部材を設け、このカバー部材に補強部を兼ねると共に天板部の桟木に押圧保持される押さえ部を一体形成したから、請求項１記載の効果に加えて、カバー部材は目隠し機能に加えて、プラグの抜き差し時などにプラグ受け保持部材に荷重がかかった場合でも補強部を兼ねる押さえ部によってプラグ受け保持部材の変形を防止でき、しかも押さえ部を天板部の桟木に押さえ付けることでプラグ受け保持部材の取付け強度を更に高めることができる。
【図面の簡単な説明】
【図１】（ａ）（ｂ）は本発明の一実施形態を示す一部破断正面図、及び一部破断側面図である。
【図２】（ａ）（ｂ）は同上の炉箱側の加熱部の展開図、及び側面図である。
【図３】同上の電源部付近の断面図である。
【図４】（ａ）（ｂ）は同上の座卓の天板部の一部破断平面図、及び一部破断側面図、（ｃ）は断熱材の圧迫状態を説明する断面図である。
【図５】同上の座卓側の加熱部の一部破断平面図である。
【図６】（ａ）は図５のＡ−Ａ線に沿う分解断面図、（ｂ）は図５のＢ−Ｂ線に沿う分解断面図である。
【図７】同上の座卓側の加熱部の平面図である。
【図８】（ａ）〜（ｃ）は同上の座卓の一部破断平面図、一部破断正面図、及び側面図である。
【図９】同上の座卓側の加熱部の取付け状態の説明図である。
【図１０】（ａ）（ｂ）は同上の帯状プレートの正面図、（ｃ）（ｄ）は側面図である。
【図１１】同上のスイッチ部保持部材とプラグ受け保持部材の取付け状態の説明図である。
【図１２】同上のカバー部材の取付け状態の説明図である。
【図１３】（ａ）〜（ｃ）はカバー部材の平面図、正面図及び側面図である。
【図１４】（ａ）はスイッチ部の平面図、（ｂ）は操作パネルの正面図、（ｃ）は桟木と固定片との取付け状態の説明図である。
【図１５】同上のスイッチ部の側面図である。
【符号の説明】
２  炉箱
３  座卓
４  炉箱側の加熱部
５  座卓側の加熱部
７  ヒータ
２７  桟木
２８  天板部
３１  コーナ部材
３５  スイッチ部
３６  スイッチ部保持部材
５０  固定片
５１  プラグ受け保持部材
５６  挿通部
５７  電源プラグ受け
５８  端子
６０  カバー部材
６５  押さえ部
９０  アルミシート
９１  断熱材
９２  表面均熱板
１００  操作パネル
【図１】
0003626540.tif 000002
【図２】
0003626540.tif 000003
【図３】
0003626540.tif 000004
【図４】
0003626540.tif 000005
【図５】
0003626540.tif 000006
【図６】
0003626540.tif 000007
【図７】
0003626540.tif 000008
【図８】
0003626540.tif 000009
【図９】
0003626540.tif 000010
【図１０】
0003626540.tif 000011
【図１１】
0003626540.tif 000012
【図１２】
0003626540.tif 000013
【図１３】
0003626540.tif 000014
【図１４】
0003626540.tif 000015
【図１５】
0003626540.tif 000016